(57)【特許請求の範囲】
【請求項１】
棒状本体の中間位置からＴ字形に当て材を連設して、当該棒状本体を、当て材より一側方の足場板支持部と当て材より他側方の取付部とに分け、クランプ用ねじを備えたクランプを棒状本体の取付部と当て材とに付け替え可能に設け、棒状本体の取付部に取り付けられた前記クランプは、そのクランプ用ねじと当て材との間でベランダ手摺り壁を挟持して棒状本体をベランダ手摺り壁上に水平に固定し、当て材に取り付けられた前記クランプは、そのクランプ用ねじと棒状本体の取付部との間でベランダ手摺り壁を挟持して棒状本体をベランダ手摺り壁の外側に垂直に固定するようにした、ベランダ手摺り用足場板支持装置。
【請求項２】
棒状本体は、その全長に及ぶ丸パイプと、前記取付部の当て材側に外嵌固着された溝形材とから構成され、当て材は、その全長に及ぶ丸パイプと、この丸パイプの棒状本体取付部側に外嵌固着された溝形材とから構成され、クランプは、前記各溝形材を挟み且つボルトナットで棒状本体取付部又は当て材に固定される左右両側板と、この左右両側板間に固着された連結部材と、この連結部材を螺合貫通するクランプ用ねじとから構成されている、請求項１に記載のベランダ手摺り用足場板支持装置。
【請求項３】
棒状本体の足場板支持部の先端には、足場板外れ止め用フランジ板が固着され、当該フランジ板にはねじ孔が設けられている、請求項１又は２に記載のベランダ手摺り用足場板支持装置。
【発明の詳細な説明】
【０００１】
【発明の属する技術分野】
本発明は、建築中の建物のベランダ手摺り壁の外側に作業用足場板を仮設したり、養生ネットを張設したりするときに便利に使用出来るベランダ手摺り用足場板支持装置に関するものである。
【０００２】
【従来の技術】
建築中の建物のベランダ手摺り壁の外側に作業用足場板を仮設する手段として、当該ベランダ手摺り壁の上に載置してクランプにより当該ベランダ手摺り壁に固定出来る足場板支持金物が知られている。しかしながら、ベランダ手摺り壁が隣接する他の建物等に接近しているためにベランダ手摺り壁の外側に作業用足場板を仮設することが出来ない場合もあり、このような場合は、ベランダ手摺り壁の外側に養生ネットだけを張設することになるが、従来の足場板支持金物は、ベランダ手摺り壁から外側へ大きく張り出すものであるから、養生ネットの張設には利用することが出来ず、養生ネット張設のための鋼管をベランダ手摺り壁の外側に垂直に仮設するために専用の金物を準備しなければならなかった。
【０００３】
【課題を解決するための手段】
本発明は上記のような従来の問題点を解消し得るベランダ手摺り用足場板支持装置を提供することを目的とするものであって、その手段を後述する実施形態の参照符号を付して示すと、棒状本体１の中間位置からＴ字形に当て材２を連設して、当該棒状本体１を、当て材２より一側方の足場板支持部５と当て材２より他側方の取付部６とに分け、クランプ用ねじ１５を備えたクランプ３を棒状本体１の取付部６と当て材２とに付け替え可能に設け、棒状本体１の取付部６に取り付けられた前記クランプ３は、そのクランプ用ねじ１５と当て材２との間でベランダ手摺り壁２１を挟持して棒状本体１をベランダ手摺り壁２１上に水平に固定し、当て材２に取り付けられた前記クランプ３は、そのクランプ用ねじ１５と棒状本体１の取付部６との間でベランダ手摺り壁２１を挟持して棒状本体１をベランダ手摺り壁２１の外側に垂直に固定する構成となっている。
【０００４】
上記構成の本発明を実施するについて、棒状本体１は、その全長に及ぶ丸パイプ７と、前記取付部６の当て材２側に外嵌固着された溝形材８とから構成し、当て材２は、その全長に及ぶ丸パイプ９と、この丸パイプ９の棒状本体取付部６側に外嵌固着された溝形材１０とから構成し、クランプ３は、前記各溝形材８，１０を挟み且つボルトナット２０ａ，２０ｂで棒状本体取付部６又は当て材２に固定される左右両側板１２ａ，１２ｂと、この左右両側板１７ａ，１７ｂ間に固着された連結部材１３，１４と、この連結部材１４を螺合貫通するクランプ用ねじ１５とから構成することが出来る。
【０００５】
又、棒状本体１の足場板支持部５の先端には、足場板外れ止め用フランジ板４を固着し、当該フランジ板４には、パイプクランプ等の取り付けに利用出来るねじ孔２７を設けておくことが出来る。
【０００６】
【発明の実施の形態】
以下に本発明の好適実施形態を添付図に基づいて説明すると、１は棒状本体、２は当て材、３はクランプである。棒状本体１は、足場板外れ止め用フランジ板４が固着された先端から全長の半分強の長さの足場板支持部５と、残りの長さの取付部６とに分けられ、その境界部から前記当て材２がＴ字形に連設されている。棒状本体１は、その全長に及ぶ丸パイプ７と、取付部６に於ける丸パイプ７の当て材２のある側に外嵌固着された溝形材８とから構成され、当て材２は、その全長に及ぶ丸パイプ９と、この丸パイプ９の取付部６のある側に外嵌固着された溝形材１０とから構成されている。１１は、当て材２の遊端近傍位置と棒状本体１の先端近傍位置との間に介装された補強用斜め材である。尚、丸パイプ７，９は同一サイズのものであり、溝形材８，１０も断面サイズが同一のものである。
【０００７】
クランプ３は、溝形材８又は１０を挟む左右両側板１２ａ，１２ｂと、この左右両側板１２ａ，１２ｂを互いに一体化して溝形材８又は１０の表面に当接する板状連結部材１３と、この板状連結部材１３の外側で左右両側板１２ａ，１２ｂを互いに一体化するアングル材利用の連結部材１４と、この連結部材１４を前記板状連結部材１３と平行に螺合貫通するクランプ用ねじ１５とから構成され、クランプ用ねじ１５の先端には、皿ばね利用の当て座１６が相対回転自在に取り付けられている。左右両側板１２ａ，１２ｂの溝形材８又は１０を挟む部分には、二つの取付孔１７ａ，１７ｂがそれぞれ同心状に設けられている。
【０００８】
棒状本体１の取付部６と当て材２には、クランプ３の二つの取付孔１７ａ，１７ｂ間の間隔と同一間隔で、棒状本体１及び当て材２の長さ方向にそれぞれ三つの取付孔１８ａ〜１８ｃ及び１９ａ〜１９ｃが設けられている。従って、クランプ３は、左右両側板１２ａ，１２ｂと板状連結部材１３とで形成されるコ字形部を棒状本体１の取付部６（図１Ａ）又は当て材２（図１Ｂ）に溝形材８又は１０のある側から、そして当て座１６が当て材２又は棒状本体１の取付部６側に向くように外嵌させ、係る状態でクランプ３を棒状本体１の取付部６又は当て材２の長さ方向にスライドさせて、取付孔１７ａ，１７を棒状本体１の取付部６側の取付孔１８ａ〜１８ｃの内の二つ又は当て材２側の取付孔１９ａ〜１９ｃの内の二つに合致させ、合致させた二組の取付孔を利用して２本のボルトナット２０ａ，２０ｂでクランプ３を棒状本体１の取付部６（図１Ａ）又は当て材２（図１Ｂ）の何れかに取り付けることが出来る。
【０００９】
使用に際して、図１Ａに示すように、ベランダ手摺り壁２１の外側に張り出すように足場板２２を仮設するときは、クランプ３を棒状本体１の取付部６に取り付ける。そして当て材２をベランダ手摺り壁２１の外側に垂直に沿わせるように棒状本体１の取付部６をベランダ手摺り壁２１の上に載置し、クランプ３のクランプ用ねじ１５を締結して当て座１６と当て材２との間でベランダ手摺り壁２を挟み付け、棒状本体１をベランダ手摺り壁２１の上に水平状態に固定する。この要領でベランダ手摺り壁２１の長手方向適当間隔おきに本発明装置を据え付けることにより、隣接する本発明装置の棒状本体１の足場板支持部５間に足場板２２を載置架設することが出来る。このとき、各本発明装置の棒状本体１の先端に設けられた足場板外れ止め用フランジ板４が、足場板２２が外側へ外れ落ちるのを防止する。
【００１０】
上記のように本発明装置を使用する場合、上階のベランダ手摺り壁２１にも、下階のベランダ手摺り壁２１に取り付けられた本発明装置の真上に位置するように本発明装置を前記の要領で取り付け、上下の本発明装置の棒状本体１の先端部どうしを垂直の縦枠用パイプ２３でつなぎ、この縦枠用パイプ２３を利用して、足場板２２上を歩行する作業者のための手摺り用水平パイプ２４を、例えばパイプ接合用クランプ（二つのパイプクランプを相対回転自在に軸結合したもの等）２５を利用して上下二段に架設することが出来る。この場合、必要に応じて縦枠用パイプ２３や手摺り用水平パイプ２４の外側に養生ネットを張設することが出来る。
【００１１】
棒状本体１の先端部に垂直の縦枠用パイプ２３を結合するためには、従来周知のパイプクランプ２６を棒状本体１の先端に取り付ければ良いが、この場合、図５にも示すように、足場板外れ止め用フランジ板４にねじ孔２７を設けておくことにより、パイプクランプ２６をボルトで簡単に棒状本体１の先端に取り付けることが出来る。前記ねじ孔２７は、足場板外れ止め用フランジ板４に設けた貫通孔と同心状に当該足場板外れ止め用フランジ板４の内側にナット２８を溶接して構成することが出来る。又、足場板外れ止め用フランジ板４の棒状本体１から張り出す部分に、養生ネット等の取り付けに利用出来る別の貫通孔２９を設けておくことも出来る。
【００１２】
若し、ベランダ手摺り壁２１と隣接する他の建築物との間の空間が狭くて、ベランダ手摺り壁２１の外側に足場板２２を仮設するだけの空間的余裕が無い場合は、ベランダ手摺り壁２１の内側に適当な支持手段を利用して足場板が仮設されるが、この場合、ベランダ手摺り壁２１の外側に養生ネットを張設することになるが、本発明装置をこの養生ネットの張設に利用することが出来る。即ち、図１Ｂに示すように、クランプ３を当て材２に取り付け、棒状本体１の取付部６をベランダ手摺り壁２１の外側に垂直に沿わせるように当て材２をベランダ手摺り壁２１の上に載置し、クランプ３のクランプ用ねじ１５を締結して当て座１６と棒状本体１の取付部６との間でベランダ手摺り壁２１を挟み付け、棒状本体１をベランダ手摺り壁２１の外側に接して垂直に固定する。この要領でベランダ手摺り壁２１の長手方向適当間隔おきに本発明装置を据え付けると共に、上階のベランダ手摺り壁にも、下階のベランダ手摺り壁２１に取り付けられている各本発明装置の真上に位置するように本発明装置を取り付け、上下の各本発明装置の垂直姿勢の棒状本体１間に垂直に縦枠用パイプ２３をパイプ接合用クランプ２５により取り付け、この垂直な縦枠用パイプ２３に養生ネットを張設すれば良い。
【００１３】
以上のように本発明装置は、使用状況に応じてクランプ３を棒状本体１の取付部６又は当て材２に取り付けることになるが、何れの場合も、取り付け対象のベランダ手摺り壁２１の厚さに応じて、棒状本体１の取付部６側の取付孔１８ａ〜１８ｃ又は当て材２側の取付孔１９ａ〜１９ｃを選択することにより、図３に示すように、棒状本体１の取付部６又は当て材２の長さ方向に異なる２位置Ｐ１，Ｐ２の何れかをクランプ３の取付位置として選択することが出来る。
【００１４】
【発明の効果】
本発明のベランダ手摺り用足場板支持装置は以上のように実施し且つ使用することができるものであって、係る本発明のベランダ手摺り用足場板支持装置によれば、一つのクランプを棒状本体の一端側取付部側に取り付けておくことにより、従来のこの種の装置と同様に、クランプ用ねじと当て材との間でベランダ手摺り壁を挟持させて前記棒状本体をベランダ手摺り壁上に水平に固定し、以て、ベランダ手摺り壁から外側に水平に張り出す棒状本体の足場板支持部を利用して、ベランダ手摺り壁の外側に張り出させて足場板を仮設することが出来るものであるが、ベランダ手摺り壁の外側に足場板を仮設するだけの空間的余裕が無いときは、クランプを当て材側に付け替えて、クランプ用ねじと棒状本体の取付部との間でベランダ手摺り壁を挟持させて前記棒状本体をベランダ手摺り壁の外側に垂直に固定し、以て、この棒状本体を養生ネットの張設のための垂直な縦枠用パイプの取り付けに利用することが出来る。
【００１５】
即ち、一つのベランダ手摺り用足場板支持装置を、ベランダ手摺り壁の外側に養生ネットを張設するときの補助手段としても活用することが出来、従来のように、ベランダ手摺り壁の外側への養生ネット張設のための補助手段を別途用意する必要がなくなり、その経済的効果は甚大である。
【００１６】
尚、請求項２に記載の構成によれば、棒状本体の足場板支持部は丸パイプから構成されているので、鋼板製足場板に設けられている従来周知の取付手段を利用して鋼板製足場板を安全に支持させることが出来ると共に、棒状本体の取付部や当て材は溝形材が外嵌していて、クランプを安定的に外嵌固定することが出来る。
【００１７】
又、請求項３に記載の構成によれば、棒状本体の足場板支持部の先端に取り付けられた足場板外れ止め用フランジ板によって、支持する足場板が棒状本体から外側へ外れ落ちる恐れが無くなり、安全性が向上すると共に、当該フランジ板に設けられたねじ孔を利用して、棒状本体の先端に垂直向きに縦枠用パイプ等を取り付けるときのパイプクランプ等を容易に取り付けることが出来、作業性も向上する。
【図面の簡単な説明】
【図１】  Ａ図は足場板支持に使用した状態を示す側面図であり、Ｂ図は養生ネット張設に利用した状態を示す側面図である。
【図２】  クランプと棒状本体とを分離した状態を示す側面図である。
【図３】  クランプ取付状態を示す要部の縦断側面図である。での
【図４】  クランプと棒状本体とを分離した状態を示す一部縦断背面図である。
【図５】  棒状本体の先端部の詳細を示す縦断側面図である。
【符号の説明】
１    棒状本体
２    当て材
３    クランプ
４    足場板外れ止め用フランジ板
５    足場板支持部（棒状本体）
６    取付部（棒状本体）
７，９    丸パイプ
８，１０    溝形材
１１    補強用斜め材
１２ａ，１２ｂ    両側板（クランプ）
１３，１４    連結部材（クランプ）
１５    クランプ用ねじ（クランプ）
１６    当て座（クランプ）
１７ａ，１７ｂ，１８ａ〜１８ｃ，１９ａ〜１９ｃ    取付孔
２０ａ，２０ｂ    ボルトナット
２１    ベランダ手摺り壁
２２    足場板
２３    縦枠用パイプ
２４    手摺り用パイプ
２５    パイプ接合用クランプ
２６    パイプクランプ
２７    ねじ孔
【図１】
0003850306.tif 000002
【図２】
0003850306.tif 000003
【図３】
0003850306.tif 000004
【図４】
0003850306.tif 000005
【図５】
0003850306.tif 000006